(57)【要約】  本発明はエレベータ天井に設置された脱出口を遮るための補助天井装置に係り、非常脱出口１両側に設置されて、その長さは非常脱出口の長さより長くてエレベータ天井の長さよりは短い２個の長いレール型ガイド１０；及びレール型ガイド１０にのせられて非常脱出口１を遮る直四角形の薄い金属板で構成された補助天井板２０；を含んで、２個のガイド１０の下端部には内側に曲がった係止突起１２が形成され、これら係止突起１２に前記補助天井板２０の両側縁部にかけて設置することができることを特徴とする。
2007513036.tif 000002
【特許請求の範囲】
【請求項１】
エレベータ天井中央に位置する非常脱出口１両側に設置されて、その長さは非常脱出口の長さより長く、エレベータ天井の長さよりは短い２本の長いレール型ガイド１０；及び 前記レール型ガイド１０にのせられて非常脱出口１を遮って、金属板、木材板、アクリル板などの薄い板材で構成された補助天井板２０；を含んで、前記２本のガイド１０の下端部には内側に曲がった係止突起１２が形成され、これら係止突起１２に前記補助天井板２０の両側縁部をかけて設置することができるエレベータ脱出口遮蔽用補助天井装置において、前記ガイド１０の上端部にはボルト頭が通過できない幅を有するスロット１４と、ボルト頭が自由に移動することができる大きさの通路１６を有するガイド溝１８が形成され、前記ガイド溝１８に装置されたボルトなどを利用してエレベータ天井にガイド１０を締結することができることを特徴とする装置。
【請求項２】
第１項において、前記ガイド溝１８に装置されたボルトなどを挿入することができる複数の穴１３をエレベータ天井に形成するが、前記穴１３はガイド１０と直交する方向に長い形態を有して、穴１３の長さだけ補助天井板２０の幅方向にガイド１０を動かすことができることを特徴とする装置。
【発明の詳細な説明】
【技術分野】
【０００１】
本発明はエレベータ天井（以下“本天井”という）に設置された脱出口を遮るための補助天井装置に関する。
【背景技術】
【０００２】
ほとんどすべてのエレベータには停電や障害物などでエレベータが異常に突然に止まってエレベータ門を正常に開けられない非常事態時エレベータから乗客を脱出させるためにエレベータ本天井に脱出口を配置する。このような脱出口の大きさはたいてい４００ｍｍＸ５００ｍｍに規格化されている。
【０００３】
従来のエレベータはこういう非常脱出口をそのまま露出させる構成と非常脱出口を乗客に見えないように遮蔽する構成の２種形態のエレベータがある。露出型エレベータの場合、非常脱出口が乗客の肉眼にそのまま現われて外観上格好よくない問題があるので、高級型エレベータを含み最近のエレベータではほとんど採択していない実情である。
【０００４】
図１は脱出口を遮る従来の遮蔽型エレベータの内部を概略的に見せてくれる斜視図である。図示したように、エレベータの本天井の中央には非常脱出口１が形成されていて、本天井両側縁には換気器具や照明器具（以下、“照明器具”と統一する；３）が配置されることが一般的である。こういう照明器具はエレベータ本天井の両側縁に沿って長さ方向に形成されて本天井下の面で一定間隔離れて形成される。このように形成された照明器具３の間に空間全体をカバーする大きさの金属板やアクリル板などの遮蔽板５をその両側部が照明器具３にかかるように配置する。このように遮蔽板５を配置した状態の断面図が図２に図示されている。
【０００５】
参考に、当業界では本天井に対備して照明器具３と金属板５で構成された天井を“補助天井”という。
【０００６】
このような両側照明器具の間に設置する従来の遮蔽型天井装置の場合、遮蔽板５の大きさは両側照明器具３間の露出した空間をすべてカバーしなければならないので相当に大きくなければならない。エレベータの場合照明器具３間の露出空間の大きさは大体１０００ｍｍＸ１５００ｍｍ程度である。また、これに合う大きさのステンレス鋼板規格品のサイズは約１２１９ｍｍＸ２４３８ｍｍである。したがって、規格板で一つの遮蔽板しか生産できない。もちろん、規格板で遮蔽板を裁断して残った残材は廃棄処理されたり、リサイクルされたりする。したがって、材料の浪費が相当に甚だしい。また、こういう大型遮蔽板５を補助天井として本天井下に設置しようとするなら、大型遮蔽板の重さが非常に重いので数人の作業者が投入され、その重量によって落下時作業人が負傷する危険性も多かった。もちろん、大型遮蔽板は設置した後にも維持補修が難しいということは言うまでもない。このように、従来の大型遮蔽板は材料の浪費、大きい体積による運送の難しさと過多な運送費、作業人力の過多投入、維持補修の困難などにより全体的に相当な経費上昇の原因になった。
【０００７】
また、遮蔽板５を両側照明器具３にかけておくように設置するため、エレベータの天井の高さが相当に低くなるので、高さが大きい家具、特に箪笥などをエレベータで運びにくいという問題が生じることができる。
【０００８】
このような問題を解決するために、大型遮蔽板５を多くの部分に切断して設置することも一つ解決策になることができるが、この場合多くの切れの遮蔽板間の隙間で光が漏れないようにしようとするならこれら遮蔽板を相互に精密にあわせたり重なるように設置しなければならないので、設置作業が非常に煩雑で人力がさらに必要となるという問題がある。
【発明の開示】
【０００９】
本発明は従来のこのような問題点を勘案して案出したものであって、非常脱出口に合う大きさの補助天井板を容易に設置することができるようにすることによって、材料を節減して設置と維持補修を容易にして全体的な費用を節減することができるエレベータ用補助天井装置を提供することを目的にする。
【００１０】
本発明はまたエレベータの内部空間の高さを従来に比べて増加させて、エレベータの内部空間の活用度を向上させることを目的にする。
【００１１】
こういう目的を達成するために、本発明はエレベータ天井中央に位置する非常脱出口１を遮るための補助天井装置において：
前記非常脱出口両側に設置されて、その長さは非常脱出口の長さより長くてエレベータ天井の長さよりは短い２個の長いレール型ガイド；及び
前記レール型ガイドにのせられて非常脱出口を遮る直四角形の補助天井板；を含んで、
前記２個のガイドの下端部には内側に曲がった係止突起１２が形成されていて、これら係止突起に前記補助天井板２０の両側縁部をかけて設置することができることを特徴とするエレベータ脱出口遮蔽用補助天井装置を提供する。
【００１２】
本発明による装置において、ガイドの上端部にはボルト頭が通過できない程度の幅を有するスロットと、ボルト頭が自由に移動することができる大きさの通路を有するガイド溝が形成されていて、ガイド溝に装置されたボルトなどを利用してエレベータ天井にガイドを締結することができるようにすることが望ましい。
【００１３】
特に、ガイド溝に装置されたボルトなどを挿入することができる複数の穴１３をエレベータ天井に形成するが、これら穴はガイドと直交する方向に長い形態を有して、穴の長さだけ補助天井板の幅方向にガイドを動かすことができるようにすることがさらに望ましい。
【発明を実施するための最良の形態】
【００１４】
以下、添付図面を参照して本発明に対して詳細に説明すると次のようである。
【００１５】
図３は本発明による補助天井装置を概略的に見せてくれるエレベータの内部斜視図である。
【００１６】
図示したように、エレベータ本天井中央には非常脱出口１が位置する。また、従来と同様に、エレベータの本天井両側縁には照明器具３が配置されて、照明器具３の構成は以下に述べる。非常脱出口１の両側にはそれぞれ一つずつ２個の長いレール型ガイド１０が設置されるが、図３にはガイド１０がエレベータ本天井の全体長さにかけて延びていることと図示しているが、ガイドの長さは非常脱出口の長さより長くてエレベータ本天井の長さと同じ範囲内で必要によって選択することができる。
【００１７】
これら２個のレール型ガイド１０の間には非常脱出口１を遮る直四角形の補助天井板２０が配置されてガイド１０にのせられる。補助天井板２０は薄い金属板、アクリル板、木材板などの板材はもちろんエレベータ内部で非常脱出口を遮るどんな形態の板材もすべて含んでいるといえる。補助天井板２０をガイド１０に当てるために、２個のガイド１０の下端部には内側に曲がった係止突起１２が形成されていて、これら係止突起１２に前記補助天井板２０の両側縁部にかけて設置することができるようにする（図４及び５参照）。
【００１８】
前述したように、規格板の大きさは１２１９ｍｍＸ２４３８ｍｍであって、非常脱出口１の大きさは４００ｍｍＸ５００ｍｍである。したがって、規格板１枚で非常脱出口１を遮蔽する補助天井板２０を３枚裁断できる。本発明によると、従来に比べて１／３の材料で済むと言うことである。
図４および５にはガイド１０と補助天井板２０の関係が具体的に図示された斜視図が図示されている。図４は分離状態を図5は結合状態を見せてくれる。
【００１９】
図示したように、それぞれのガイド１０の上端部にはボルト頭が通過できない程度の幅を有するスロット１４と、ボルト頭が自由に移動することができる大きさの通路１６を有するガイド溝１８が形成されている。このガイド溝１８にボルトなどの締結具１９を必要な数で差込んで締結具１９をエレベータ本天井に締結してガイド１０を本天井に設置する。
【００２０】
一方、本天井にはガイド溝１８に装置されたボルトなどを挿入することができる複数の穴１３が形成されている。これら穴１３はどんな形状も可能であるが、できるだけガイド１０と直交する方向に長い形態の長孔が望ましい。このようにガイド１０の長さ方向と直交する長孔形態の穴１３を利用する場合、穴１３の長さだけガイド１０を設置する時矢印Ａ方向にガイドを動かすことができるようになる。したがって、補助天井板２０を精密に裁断できない場合でも、穴１３の長さに該当するだけ補助天井板２０の許容誤差を収容することができるようになって、補助天井板２０の設置が一層容易になる。もちろん、締結具１９自体も通路１６で自由に移動することができるので、ガイド１０自体を長さ方向に希望するまま動かすことができる。すなわち、ガイド１０は前後左右に所定長さ動かすことができるようになって、補助天井板２０の設置作業と位置調整が一層容易になることである。
【００２１】
また、補助天井板２０の望まない離脱や分離を防止するために、補助天井板２０の両端に下向突出部２２を形成して、係止突起１２の内端部には上端突出部１５を形成することもできる。この場合、補助天井板両側の下向 突出部２２と係止突起１２の上端突出部１５が噛み合うようになるので、補助天井板２０が随時にまたは意図せずに分離される憂慮が確実に防止されることができる。一方、補助天井板２０自体は両側ガイド１０に締結されたことはないので、内部掃除や乗客救出など必要である場合にはいつでも便利にガイド１０から容易に分離することができる。
【００２２】
このように構成された本発明による装置によれば、従来の規格板１枚で補助天井板３枚を形成することができるので、規格板１枚で１枚の遮蔽板を形成するしかなかった従来の場合に比べて大体３倍の効果が見られる。すなわち、材料費側面で見れば約２／３の材料費を節減することができるようになる。また、補助天井板２０の大きさが従来に比べて大きく減って重量も大幅に小さくなるので作業人が従来に比べて容易に作業でき、必要な作業人数も大きく減る。すなわち、従来の大型遮蔽板の場合には設置作業時３人程度の作業人が必要な反面、本発明によると１名の作業人でも設置作業を容易に仕上げることができるようになる。
【００２３】
したがって、本発明によると全体的な材料費、運送費、設置費、人件費、維持補修比が従来に比べて大幅に節減されるようになり、また設置作業や維持補修作業も従来に比べて相当に単純化されて作業性が向上する。
【００２４】
また、図６及び７に示したように、本発明による補助天井板２０は本天井に密着して設置することができるので従来に比べてエレベータの内部空間の高さを増加させることができる。図6は本発明による装置が設置された場合のエレベータ内部空間を、図7は従来のエレベータの内部空間を概略的に見せる。これら２枚の図面に示したように、本発明による装置を設置する場合エレベータの内部空間の高さが増加して高い箪笥などの家具をエレベータ内に収容することができるが、従来の場合には補助天井の高さが低くなり高い家具をエレベータ内に入れることができない。すなわち、本発明による装置を利用する場合、エレベータ内部空間の活用度も大きく改善されることが分かる。本発明による好適実施例を説明のために開示したが、付属する特許請求の範囲に開示された本発明の範囲及び精神から離れることなく様々な変更、追加及び置換が可能なことは当業者には認識されるだろう。
【図面の簡単な説明】
【００２５】
【図１】従来のエレベータの補助天井板を見せてくれる内部斜視図である。
【図２】図１の補助天井板が組立てられた状態の断面図である。
【図３】本発明による補助天井板装置の分解状態を見せてくれる内部斜視図である。
【図４】本発明による補助天井板の構造を詳細に見せてくれる分離斜視図である。
【図５】は図４の構成が組立てられた状態の斜視図である。
【図６】本発明による補助天井板装置によるエレベータ内部空間活用状態を見せてくれる側断面図である。
【図７】図６と比較される従来の構造を見せてくれる側断面図である。
【図１】
2007513036.tif 000003
【図２】
2007513036.tif 000004
【図３】
2007513036.tif 000005
【図４】
2007513036.tif 000006
【図５】
2007513036.tif 000007
【図６】
2007513036.tif 000008
【図７】
2007513036.tif 000009
【国際調査報告】
2007513036.tif 000010